(57)【要約】カバーキャップを備えた内容物放出状態切換え機構において、簡単な切換え操作およびシンプルな切換え構造を確保し、かつ、カバーキャップの有効利用を図る。カバーキャップは、出力側通路部４と一体で容器本体１に固定されるカバーキャップ下部３と、操作部６と一体で、カバーキャップ下部３に対して回動可能なカバーキャップ上部５と、からなる。出力側通路部４は、外部空間域へ続く下流側に形成されて、異なる内容物放出状態（例えば放出パターン）を設定するための複数の個別通路部（４ｃ＋４ｇ，４ｄ＋４ｈ）と、ステム２から続く上流側の共通縦通路部４ｂと、を備えた。カバーキャップ下部３とカバーキャップ上部５との間の回動操作により、前記複数の個別通路部の中で共通縦通路部４ｂと連通状態の個別通路部が選択され、この状態で天板表面部分６ｃを押し下げると内容物が選択済の個別通路部から外部空間域に噴射される。
2015125654.tif 000002
【特許請求の範囲】
【請求項１】
容器本体の内容物を外部空間域へ放出するための操作部および出力側通路部ならびにこれらの外側に設定された保護用のカバーキャップを有する内容物放出状態切換え機構において、
前記出力側通路部は、
前記外部空間域へ続く下流側に形成されて、異なる内容物放出状態を設定するための複数の個別通路部と、
内容物放出用の弁作用部としてのステムから続く上流側の共通通路部と、を備え、
前記カバーキャップは、
前記出力側通路部と一体で前記容器本体に固定されるカバーキャップ下部と、
前記操作部と一体で、当該カバーキャップ下部に対して回動可能な形に配設されたカバーキャップ上部と、を備え、
前記カバーキャップ下部と前記カバーキャップ上部との間の回動操作により、
前記複数の個別通路部の中で前記共通通路部と連通状態の個別通路部が選択的に設定される、
ことを特徴とする内容物放出状態切換え機構。
【請求項２】
前記操作部は、
内容物放出操作の対象となる表面部分と、
当該表面部分とは反対側の裏面部分に形成されて、前記共通通路部に通じる個別通路部を選択する選択作用部と、
前記回動操作により、前記共通通路部と連通状態の個別通路部の放出口との対向位置に設定される内容物放出用の開口部と、を備え、
前記出力側通路部は、
前記共通通路部の一部であって、前記選択作用部が周方向に回動可能な形で係合する回動係合作用部と、
前記個別通路部のそれぞれを前記共通通路部に個々に連通させるための複数の孔部と、を備え、
前記回動操作により、
前記選択作用部が、前記開口部の対向部分となる前記個別通路部の前記孔部を前記共通通路部との連通状態に設定する、
ことを特徴とする請求項１記載の内容物放出状態切換え機構。
【請求項３】
前記選択作用部は、
前記裏面部分からの鞘状垂下部であり、
前記鞘状垂下部は、
前記複数の孔部より上方位置までの短垂下部分と、
前記複数の孔部より下方位置までの長垂下部分と、を備えている、
ことを特徴とする請求項２記載の内容物放出状態切換え機構。
【請求項４】
前記出力側通路部は、
前記ステムに取り付けられる開口部と、
前記カバーキャップ下部との接続部分であって変位可能な形に設定された連結部と、を備えた、
ことを特徴とする請求項１乃至３のいずれかに記載の内容物放出状態切換え機構。
【請求項５】
請求項１乃至４のいずれかに記載の内容物放出状態切換え機構を備えて前記容器本体に放出用ガスおよび内容物を収容した、
ことを特徴とするエアゾール式製品。
【請求項６】
請求項１乃至４のいずれかに記載の内容物放出状態切換え機構を備えて前記容器本体に内容物を収容した、
ことを特徴とするポンプ式製品。
【発明の詳細な説明】
【技術分野】
【０００１】
本発明は、容器本体内容物の出力側通路部から外部空間域への放出状態（放出パターン，放出量，霧状噴射，直噴など）の選択が可能な内容物放出状態切換え機構ならびにこの切換え機構を備えたエアゾール式製品およびポンプ式製品に関する。【０００２】
特に、出力側通路部や放出操作部などを保護するカバーキャップを上下に分けて、その下部が当該出力側通路部と一体で容器本体に固定され、その上部が当該放出操作部と一体で当該下部に対して回動可能な形に配設された内容物放出状態切換え機構に関する。【０００３】
内容物の出力側通路部は、外部空間域へ続く下流側の複数の個別通路部と、ステムから続く上流側の共通通路部とを有している。この出力側通路部および放出操作部の間の周方向回動操作（内容物放出操作とは別の放出状態切換え操作）により、共通通路部と連通した内容物通過域となる個別通路部が選択される。【０００４】
そして、選択された個別通路部の放出口側の形状，構造などに対応した放出状態（放出パターン，放出量，霧状噴射，直噴など）が設定される。【０００５】
内容物放出操作部などの保護部材であるカバーキャップを備えた内容物放出状態切換え機構において、切換え操作上の利便性を損なうことなく、カバーキャップの有効利用を図ることなどが望ましく、本発明はこのような要請に応えるものである。【０００６】
本発明の内容物放出状態切換え機構の適用対象はエアゾール式およびポンプ式の各製品である。【０００７】
この明細書および要約書においては、共通通路部と連通して内容物放出操作が可能な状態の個別通路部の放出口側を「前」とし、当該「前」と周方向に略１８０度反対側を「後」とする。すなわち、図１および図４の左側ならびに図２の右側が「前」で、図１および図４の右側ならびに図２の左側が「後」となる。【０００８】
また、「ヒンジ結合」の語を、第１の構成要素が第２の構成要素に対し変位可能、例えば回動可能な形で一体化していることを示す意で用いる。
【背景技術】
【０００９】
従来、複数の個別通路部とその上流側の共通通路部とを有する操作ボタンに、その周方向への回動により使用対象の個別通路部を選択的に共通通路部と連通させる切換え部を設けた、スプレーボタンが提案されている（特許文献１参照）。【００１０】
このスプレーボタンは、使用対象の個別通路部を、操作ボタンと切換え部との間の回動操作で選択して共通通路部に連通させるようにしたものである。【００１１】
また、選択されなかった使用対象外の個別通路部の放出口を切換え部で覆うことにより、当該放出口がゴミ，チリなどで目詰まりするのを阻止している。
【先行技術文献】
【特許文献】
【００１２】
【特許文献１】実願平１−９３３１３号（実開平３−３２００２号）のマイクロフィルム
【発明の概要】
【発明が解決しようとする課題】
【００１３】
本発明は、上記提案済みのスプレーボタンにおける、切換え部の回動操作により、外部空間域への複数の個別通路部から使用対象のものを共通通路部へ選択的に連通させるといった基本的手法を、カバーキャップありの内容物放出機構に適用したものである。【００１４】
すなわち、内容物の出力側通路部や放出操作部などの保護部材であるカバーキャップを備えた内容物放出状態切換え機構において、簡単な切換え操作およびシンプルな切換え構造を確保し、かつ、カバーキャップの有効利用を図ることを目的とする。【００１５】
また、ステムに取り付けられる出力側通路部とカバーキャップ下部との連結部分を変位可能な形に設定し、これにより取付け対象のステム上端位置のバラツキをいわば吸収して、ステムと出力側通路部との間の取付け態様の確実化を図ることを目的とする。
【課題を解決するための手段】
【００１６】
本発明は、以上の課題を次のようにして解決する。
（１）容器本体（例えば後述の容器本体１）の内容物を外部空間域へ放出するための操作部（例えば後述の操作部６）および出力側通路部（例えば後述の出力側通路部４）ならびにこれらの外側に設定された保護用のカバーキャップ（例えば後述のカバーキャップ下部３およびカバーキャップ上部５）を有する内容物放出状態切換え機構において、
前記出力側通路部は、
前記外部空間域へ続く下流側に形成されて、異なる内容物放出状態を設定するための複数の個別通路部（例えば後述の個別横通路部４ｃ，４ｄ，第１ノズル４ｇ，第２ノズル４ｈ）と、
内容物放出用の弁作用部としてのステム（例えば後述のステム２）から続く上流側の共通通路部（例えば後述の共通縦通路部４ｂ）と、を備え、
前記カバーキャップは、
前記出力側通路部と一体で前記容器本体に固定されるカバーキャップ下部（例えば後述のカバーキャップ下部３）と、
前記操作部と一体で、当該カバーキャップ下部に対して回動可能な形に配設されたカバーキャップ上部（例えば後述のカバーキャップ上部５）と、を備え、
前記カバーキャップ下部と前記カバーキャップ上部との間の回動操作により、
前記複数の個別通路部の中で前記共通通路部と連通状態の個別通路部が選択的に設定される、
構成態様のものを用いる。
（２）上記（１）において、
前記操作部は、
内容物放出操作の対象となる表面部分（例えば後述の天板表面部分６ｃ）と、
当該表面部分とは反対側の裏面部分に形成されて、前記共通通路部に通じる個別通路部を選択する選択作用部（例えば後述の鞘状垂下部６ｄ）と、
前記回動操作により、前記共通通路部と連通状態の個別通路部の放出口との対向位置に設定される内容物放出用の開口部（例えば後述の開口部６ｂ）と、を備え、
前記出力側通路部は、
前記共通通路部の一部であって、前記選択作用部が周方向に回動可能な形で係合する回動係合作用部（例えば後述の上環凹状部４ｊ）と、
前記個別通路部のそれぞれを前記共通通路部に個々に連通させるための複数の孔部（例えば後述の孔部４ｅ，４ｆ）と、を備え、
前記回動操作により、
前記選択作用部が、前記開口部の対向部分となる前記個別通路部の前記孔部を前記共通通路部との連通状態に設定する、
構成態様のものを用いる。
（３）上記（２）において、
前記選択作用部は、
前記裏面部分からの鞘状垂下部（例えば後述の鞘状垂下部６ｄ）であり、
前記鞘状垂下部は、
前記複数の孔部より上方位置までの短垂下部分（例えば後述の短垂下部分６ｇ）と、
前記複数の孔部より下方位置までの長垂下部分（例えば後述の長垂下部分６ｆ）と、を備えた、
構成態様のものを用いる。
（４）上記（１），（２），（３）において、
前記出力側通路部は、
前記ステムに取り付けられる開口部（例えば後述の下端開口部４ａ）と、
前記カバーキャップ下部との接続部分であって変位可能な形に設定された連結部（例えば後述の平板状起立部４ｋ，４ｍ，屋根形状連結部４ｎ，４ｐ）と、を備えた、
構成態様のものを用いる。【００１７】
このような構成からなる内容物放出量切換え機構ならびに、当該内容物放出量切換え機構を備えて後述のガス，内容物などを収容したエアゾール式製品および、当該内容物放出量切換え機構を備えて後述の内容物などを収容したポンプ式製品を、本発明の対象としている。
【発明の効果】
【００１８】
本発明は以上の課題解決手段により、
(11)カバーキャップを備えた内容物放出状態切換え機構において、簡単な切換え操作およびシンプルな切換え構造を確保し、かつ、カバーキャップの有効利用を図る、
(12)出力側通路部の取付け対象域であるステム上端位置のバラツキをいわば吸収して、ステムと出力側通路部との間の取付け態様の確実化を図る、
ことができる。
【図面の簡単な説明】
【００１９】
【図１】図示左側の第１ノズル４ｇから円状パターンの内容物が外部空間域に噴射されえる状態の、静止モードを示す説明図である。
【図２】図示右側の第２ノズル４ｈから縦長楕円状パターンの内容物が外部空間域に噴射されえる状態の、静止モードを示す説明図である。
【図３】図１の上ユニット（カバーキャップ上部５＋操作部６）をその上方からみて反時計方向に９０度ほど回動させた状態のロックモードを示す説明図である。
【図４】図１の操作部６を押下げ回動操作したときの第１ノズル４ｇからの内容物噴射状態を示す説明図である。
【発明を実施するための形態】
【００２０】
図１〜図４を用いて本発明を実施するための形態を説明する。
【００２１】
上述したように本発明はエアゾール式製品およびポンプ式製品を対象としているが、以下の説明では、単なる説明の便宜上、エアゾール式製品の場合を前提とする。
【００２２】
なお、以下のアルファベット付き参照番号の構成要素（例えば肩カバー１ａ）は原則として、当該参照番号の数字部分の構成要素（例えば容器本体１）の一部であることを示している。
【００２３】
図１乃至図４において、
１は後述の内容物および噴射用ガスを収納したエアゾール式製品の容器本体，
１ａは容器本体１の上側部分を構成する周知の肩カバー
１ｂは肩カバー１ａの外側下端部分に形成されて、後述のカバーキャップ下部３の周方向凸状部３ａと強く係合する環凹状部，
２は周知のバルブ機構（図示省略）の構成要素であって、コイルスプリング（図示省略）の弾性力により上方向に付勢されるステム，
をそれぞれ示している。
【００２４】
また、
３は後述の出力側通路部４と一体成形されて、容器本体１に固定状態で取り付けられる略筒状のカバーキャップ下部，
３ａは当該カバーキャップ下部の内周面下端部分に複数形成されて、環凹状部１ｂと強く係合する周方向凸状部，
３ｂは当該カバーキャップ下部の内周面縦方向に複数形成されて、周方向凸状部３ａとともに肩カバー１ａの下外端部分を挟持する縦リブ状部，
３ｃは当該カバーキャップ下部の外周面上端側部分に形成されて、当該カバーキャップ下部（容器本体１）と、後述のカバーキャップ上部５との間の相対的な周方向回動操作を案内する下環凹状部，
３ｄ，３ｅは平面視状態における後述の個別横通路部４ｃ，４ｄからなる直線状部分の両側で、かつ、当該個別横通路部の下方域の前後方向に、それぞれ形成された一対の天板状片部，
３ｆは一方の天板状片部３ｄの外端側部分に円弧状起立部態様で形成されて、後述の操作部６を、押下げ操作（内容物放出操作）阻止状態にロックするストッパ部（図３参照），
３ｇは他方の天板状片部３ｅの外端側部分に円弧状起立部態様で形成されて、押下げ操作阻止のロックモードのとき、後述の操作部６の開口部６ｂと対向することによりカバーキャップ内部の露出化を防止する遮蔽部（図３参照），
をそれぞれ示している。
【００２５】
また、
４はカバーキャップ下部３と一体成形されて、ステム２の内容物流出側に取り付けられる出力側通路部，
４ａはステム２の流出部分に嵌合状態で取り付けられる下端開口部，
４ｂは下端開口部４ａからその下流側に続く筒状の共通縦通路部，
４ｃ，４ｄは共通縦通路部４ｂから略１８０度反対の各横方向に延びる筒状で一対の個別横通路部，
４ｅ，４ｆは共通縦通路部４ｂと個別横通路部４ｃ，４ｄとの間の孔部，
４ｇは個別横通路部４ｃの構成要素であり、その下流端部分に取り付けられて外部空間域への放出口として作動し、円状パターンの内容物噴射を設定する周知の第１ノズル，
４ｈは個別横通路部４ｄの構成要素であり、その下流端部分に取り付けられて外部空間域への放出口として作動し、かつ、当該放出口の先端左右両側の外部に設けた対向壁の流れ規制作用に基づいて縦長楕円状パターンの内容物噴射を設定する周知の第２ノズル，
４ｊは共通縦通路部４ｂの内周面で孔部４ｅ，４ｆよりも上方の上端側部分に形成されて、当該出力側通路部部（容器本体１）と、後述のカバーキャップ上部５との間の相対的な周方向回動操作を案内する上環凹状部（回動係合作用部に相当），
４ｋ，４ｍはカバーキャップ下部３と当該出力側通路部との一体成形接続部分の外端側であって、天板状片部３ｄ，３ｅそれぞれの対向内端側部分にヒンジ結合態様により形成された一対の平板状起立部（連結部に相当：図３参照），
４ｎ，４ｐはカバーキャップ下部３と当該出力側通路部との一体成形接続部分の内側であって、平板状起立部４ｋ，４ｍの上内端部分、および共通縦通路部４ｂの外周面それぞれとのヒンジ結合態様により形成された一対のいわば屋根形状連結部（連結部に相当：図３参照），
をそれぞれ示している。
【００２６】
また、
５は後述の操作部６と一体成形され、かつ、カバーキャップ下部３にその周方向へ回動可能な形で取り付けられて出力側通路部４および後述の操作部６などを保護する略筒状のカバーキャップ上部，
５ａは当該カバーキャップ上部の内周面下端部分に複数形成されて、下環凹状部３ｃとの係合案内作用により、当該カバーキャップ上部と、カバーキャップ下部３（容器本体１）との間の相対的な周方向回動操作を案内する周方向下凸状部，
５ｂは後述の操作部６などの保護のためその左右両側に配設された一対の壁状部，
５ｃは当該カバーキャップ上部の後側部分に形成されて、利用者の指が、後述の操作部６の押下げ操作のいわば最終段階で当接する操作規制部，
をそれぞれ示している。
【００２７】
また、
６はカバーキャップ上部５と一体成形された作動モード設定用で回動タイプの操作部，
６ａは当該操作部とカバーキャップ上部５とのヒンジ結合部、すなわち当該操作部の回動中心として作用する薄肉部，
６ｂは薄肉部６ａの直上部分に形成された内容物噴射用の開口部，
６ｃは操作対象面としての天板表面部分，
６ｄは天板表面部分６ｃと上下反対側となる天板裏面部分の略中央に形成されて、出力側通路部４の共通縦通路部４ｂに回動可能な状態で係合案内される鞘状垂下部（選択作用部に相当），
６ｅは鞘状垂下部６ｄの外周面に複数形成されて、出力側通路部４の上環凹状部４ｊとの係合案内作用により、当該操作部（カバーキャップ上部５）と、カバーキャップ下部３（容器本体１）との間の相対的な周方向回動操作を案内する周方向上凸状部，
６ｆは鞘状垂下部６ｄの周面部分の中で下端までが長い、すなわち下端部分が出力側通路部４の孔部４ｅ，４ｆより下方まで延びる形で設定されて、当該孔部の任意の一方または双方を選択的に閉じる長垂下部分，
６ｇは鞘状垂下部６ｄの周面部分の中で下端までが短い、すなわち下端部分が出力側通路部４の孔部４ｅ，４ｆの上方に位置する形で設定されて、当該孔部に対する選択的な開閉動作を生じえない短垂下部分，
６ｈは当該操作部の後下端部分であって、ロックモード（図３参照）のとき、カバーキャップ下部３のストッパ部３ｆとの対向，当接作用により当該操作部の押下げ操作を阻止する放出操作阻止部，
をそれぞれ示している。
【００２８】
ここで、ステム２，カバーキャップ下部３，出力側通路部４，カバーキャップ上部５および操作部６などは例えばポリプロピレン，ポリエチレン，ポリアセタール，ナイロン，ポリブチレンテレフタレートなどからなるプラスチック製のものである。容器本体１は例えば金属製のものである。
【００２９】
なお上述したように、カバーキャップ下部３および出力側通路部４の下ユニット、およびカバーキャップ上部５および操作部６の上ユニットはそれぞれ一体成形品である。
【００３０】
図示の内容物放出状態切換え機構の基本的特徴は、
(21)容器本体１に常時、すなわち内容物噴射状態の作動モードのときも取り付けられて、前後方向反転位置の第１ノズル４ｂおよび第２ノズル４ｈを備えた出力側通路部４や、作動モード設定用の操作部６などを保護するカバーキャップを、カバーキャップ下部３とカバーキャップ上部５とに分割し、
(22)カバーキャップ下部３および出力側通路部４を、これら相互間のカバーキャップ周方向への回動が生じない形の下ユニットとし、
(23)カバーキャップ上部５および操作部６を、これら相互間のカバーキャップ周方向への回動が生じない形の上ユニットとし、
(24)カバーキャップ下部３を容器本体１に固定的に取り付け、かつ、当該カバーキャップ下部と一体の出力側通路部４の下端開口部４ａをステム２に嵌合させ、
(25)カバーキャップ上部５をカバーキャップ下部３に対して双方間の相対的回動が可能な態様で配設し、かつ、当該カバーキャップ上部と一体の操作部６を出力側通路部４に対して双方間の相対的回動が可能な態様で配設した、
ことである。
【００３１】
すなわち、例えば容器本体１を利用者が把持したとき、これと一体のカバーキャップ下部３，出力側通路部４の下ユニットも固定され、カバーキャップ上部５および操作部６の上ユニットがこの下ユニットに対してカバーキャップ周方向に回動可能なことである。
【００３２】
上ユニットの周方向回動操作にともない、操作部６の開口部６ｂが第１ノズル４ｇまたは第２ノズル４ｈとの対向状態に、かつ、長垂下部分６ｆが出力側通路部４の孔部４ｅまたは孔部４ｆの閉状態に，それぞれ選択的に設定される（図１，図２参照）。
【００３３】
容器本体１に固定された下ユニットを構成する第１ノズル４ｇおよび第２ノズル４ｈそれぞれの位置は、勿論、上ユニットの周方向回動操作の前後で変化しない。
【００３４】
なお、ステム２に取り付けられる出力側通路部４（共通縦通路部４ｂ，個別横通路部４ｃ，４ｄ）およびカバーキャップ下部３は、屋根形状連結部４ｎ，４ｐおよび平板状起立部４ｋ，４ｍのそれぞれとのヒンジ結合により一体化している。
【００３５】
このヒンジ結合にともなう変位作用により、出力側通路部４の取付け対象となるステム上端位置のバラツキをいわば吸収して、ステム２と出力側通路部４との一体化取付け精度を確実なものにしている。
【００３６】
図１は、第１ノズル４ｇから円状パターンの内容物が外部空間域に噴射されえる状態の、静止モードを示している。
【００３７】
このとき、操作部６は、その開口部６ｂが第１ノズル４ｇに対向し、その長垂下部分６ｆが出力側通路部４の孔部４ｆを閉塞し、かつ、その短垂下部分６ｇが孔部４ｅよりも上方に位置する状態に設定される。操作部６の放出操作阻止部６ｈは勿論、ストッパ部３ｆから周方向にずれている。
【００３８】
ステム２と第１ノズル４ｇとは、共通縦通路部４ｂ，孔部４ｅおよび個別横通路部４ｃを経て連通する。
【００３９】
なお、図１のステム２は弾性力で上方向に付勢されて周知のステム弁作用部が閉じているので、容器本体１の内容物が共通縦通路部４ｂへ流入することはない。
【００４０】
図２は、第２ノズル４ｈから縦長楕円状パターンの内容物が外部空間域に噴射されえる状態の、静止モードを示している。
【００４１】
すなわち、図１の上ユニット（カバーキャップ上部５および操作部６）を、下ユニット（カバーキャップ下部３および出力側通路部４）に対して１８０度回動させることにより、当該上ユニットの図示左右関係が逆転した状態に相当する。
【００４２】
このとき、操作部６は、その開口部６ｂが第２ノズル４ｈに対向し、その長垂下部分６ｆが出力側通路部４の孔部４ｅを閉塞し、かつ、その短垂下部分６ｇが孔部４ｆよりも上方に位置する状態に設定される。図１の場合と同じように、操作部６の放出操作阻止部６ｈはストッパ部３ｆから周方向にずれている。
【００４３】
ステム２と第２ノズル４ｈとは、共通縦通路部４ｂ，孔部４ｆおよび個別横通路部４ｄを経て連通する。
【００４４】
図１の場合と同じように、図２においても周知のステム弁作用部が閉じているので、容器本体１の内容物が共通縦通路部４ｂへ流入することはない。
【００４５】
図３は、図１の上ユニット（カバーキャップ上部５および操作部６）をその上方からみて反時計方向に９０度ほど回動させた状態のロックモードを示している。
【００４６】
このとき、操作部６は、その開口部６ｂがカバーキャップ下部３の遮蔽部３ｇに対向し、その長垂下部分６ｆが出力側通路部４の孔部４ｅ，４ｆをそれぞれ閉塞し、かつ、その放出操作阻止部６ｈがストッパ部３ｆと対向，当接する状態に設定される。
【００４７】
この放出操作阻止部６ｈとカバーキャップ下部３のストッパ部３ｆとの対向，当接作用により、図３のロックモードにおける操作部６への作動モード設定用の押下げ操作は確実に阻止される。
【００４８】
また、操作部６の開口部６ｂはカバーキャップ下部３の遮蔽部３ｇに対向するので、当該開口部の内側に配設された出力側通路部４（共通縦通路部４ｂ，個別横通路部４ｃ，４ｄの外周面部分など）が利用者にとっていわば目障りとなるようなことは生じにくい。
【００４９】
図４は、図１の操作部６を押下げ操作したときの第１ノズル４ｇからの内容物噴射状態を示している。
【００５０】
利用者が図１の操作部６の天板表面部分６ｃを押下げることにより、当該操作部は薄肉部６ａを中心にして図示時計方向に回動する。
【００５１】
この回動にともない、操作部６の鞘状垂下部６ｄと係合状態の出力側通路部４ならびにこれとの一体成形部分である平板状起立部４ｋ，４ｍ，屋根形状連結部４ｎ，４ｐおよび天板状片部３ｄ，３ｅが、全体として後方下がり状態に変位しながら下動する。この下方への移動は、ステム２に対する周知の上方向への弾性力に抗しながらのシフトである。
【００５２】
この変位，下動にともない、ステム２も、上方向への弾性力に抗しながら後方傾斜の状態で下方に移動して、周知のステム弁作用部（例えばステム内外連通用の孔部とこれに対するステムガスケット）がそれまでの閉状態から開状態にシフトする。
【００５３】
このステム弁作用部の開状態へのシフト動作により、容器本体１の内容物が噴射剤の作用で「ステム弁作用部−ステム２の内部通路域−共通縦通路部４ｂ−孔部４ｅ−個別横通路部４ｃ」を経て、第１ノズル４ｇから円状パターンにて外部空間域に噴射される。
【００５４】
図２の天板表面部分６ｃを押下げ操作したときにも、図４と同様に「ステム弁作用部−ステム２の内部通路域−共通縦通路部４ｂ−孔部４ｆ−個別横通路部４ｄ」を経て、第２ノズル４ｈから縦長楕円状パターンにて外部空間域に噴射される、ことは勿論である。
【００５５】
なお、利用者が天板表面部分６ｃの押下げ操作を終えると、それまで図４に示すように下動（回動）していたステム２および出力側通路部４，操作部６が周知のステム付勢用のコイルスプリングの弾性力により上動（回動）する。
【００５６】
この弾性力に基づく上方向への回動作用により、ステム２などは、図１の円状パターン噴射が可能な静止モード、および図２の縦長楕円上パターン噴射が可能な静止モードにそれぞれ復帰する。
【００５７】
なお、本発明が図示の内容に限定されないことは勿論であり例えば、
(31)個別横通路部４ｃ，４ｄの流出側に取り付けるノズルとして、例えばノズル先端孔部の径の変更により内容物噴射量を調整するタイプや、ノズル先端側などに設けた溝部により噴射内容物の噴霧化を図るタイプなどの各種ノズルを用いる、
(32)操作部６の長垂下部分６ｆの周方向設定範囲を、図３のロックモードにおいて、
図示のように出力側通路部４の孔部４ｅ，４ｆの双方を閉じることに代え、当該孔部の双方を開く、または当該孔部のいずれか一方を開く態様に設定する、
(33)３個以上の個別横通路部およびそれぞれの共通縦通路部との孔部を設定し、当該孔部の位置に応じて長垂下部分６ｆの周方向設定範囲を変化させる、
(34)操作部として、上下動タイプ，チルト作動タイプやトリガレバータイプなどの各種操作部材を用いる、
(35)任意の構成要素間の凹状部と凸状部との形状関係を逆にする、
(36)操作部６の開口部６ｂに代えて、いわば天板部分まで連続開口した内容物噴射用の切欠状部を形成する、
(37)利用者が、図１，図２および図３それぞれの状態を選択操作する際に、カバーキャップ上部５を手などで固定保持してから、カバーキャップ下部３および容器本体１を当該カバーキャップ上部に対して回動する、
ようにしてもよい。
【００５８】
容器内容物の対象としては、液状，発泡性（泡状），ペースト状，ジェル状，粉状などの各種性状のものがある。
【００５９】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６０】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６５】
高分子化合物としては、ヒドロキシエチルセルロース，メチルセルロース，ゼラチン，デンプン，カゼイン，キサンタンガム，カルボキシビニルポリマーなどを用いる。
【００６６】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００６７】
さらに、上記内容物以外の、懸濁剤，紫外線吸収剤，乳化剤，保湿剤，酸化防止剤、金属イオン封鎖剤なども用いることができる。
【００６８】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６９】
１：容器本体
１ａ：肩カバー
１ｂ：環凹状部
２：ステム【００７０】
３：略筒状のカバーキャップ下部
３ａ：周方向凸状部
３ｂ：縦リブ状部
３ｃ：下環凹状部
３ｄ，３ｅ：天板状片部
３ｆ：ストッパ部
３ｇ：遮蔽部【００７１】
４：出力側通路部
４ａ：下端開口部
４ｂ：共通縦通路部
４ｃ，４ｄ：個別横通路部
４ｅ，４ｆ：孔部
４ｇ：第１ノズル
４ｈ：第２ノズル
４ｊ：上環凹状部
４ｋ，４ｍ：平板状起立部
４ｎ，４ｐ：屋根形状連結部【００７２】
５：カバーキャップ上部
５ａ：周方向下凸状部
５ｂ：壁状部
５ｃ：操作規制部【００７３】
６：回動タイプの操作部
６ａ：薄肉部
６ｂ：開口部
６ｃ：天板表面部分
６ｄ：鞘状垂下部
６ｅ：周方向上凸状部
６ｆ：長垂下部分
６ｇ：短垂下部分
６ｈ：放出操作阻止部
【図１】
2015125654.tif 000003
【図２】
2015125654.tif 000004
【図３】
2015125654.tif 000005
【図４】
2015125654.tif 000006
【国際調査報告】
2015125654.tif 000007
2015125654.tif 000008